(57)【要約】【課題】釣糸に対する固定力が大きいと共に、釣糸を損傷させることなく容易に装着／取り外しが行える釣り用錘を提供する。【解決手段】本発明の釣り用錘１は、一部に割り溝２ａが形成された錘本体２と、割り溝２ａに沿って釣糸を挟持する挟持溝３ａが形成され、割り溝２ａに対して弾性変形して圧入可能な挟持体３と、を有する。【選択図】図２
2011130667.tif 000002
【特許請求の範囲】
【請求項１】
一部に割り溝が形成された錘本体と、前記割り溝に沿って釣糸を挟持する挟持溝が形成され、前記割り溝に対して弾性変形して圧入可能な挟持体と、を有することを特徴とする釣り用錘。
【請求項２】
前記挟持体は、挟持溝の一端側が、前記錘本体に対して回動可能に取り付けられていることを特徴とする請求項１に記載の釣り用錘。
【請求項３】
前記挟持体は、前記錘本体に圧入された際、錘本体の外面と面一状になることを特徴とする請求項１又は２に記載の釣り用錘。
【請求項４】
前記錘本体と挟持体には、挟持体の圧入時に挟持体の移動を防止する固定手段が設けられていることを特徴とする請求項１ないし３のいずれか１項に記載の釣り用錘。
【発明の詳細な説明】
【技術分野】
【０００１】
本発明は、釣糸に対して固定保持される釣り用錘に関する。
【背景技術】
【０００２】
一般的に、釣りをする際には、仕掛けを所定の位置に沈めるために釣り用錘が用いられており、例えば、特許文献１に開示されているように、錘本体に割り溝を形成したものが知られている。このような釣り用錘は、割り溝の中に釣糸を押し入れて、錘本体を押圧する（噛み潰す）ことで割り溝の隙間を狭くして釣糸に固定されるようになっている。前記特許文献１に開示された釣り用錘は、そのような割り溝が形成された釣り用錘において、釣糸が損傷することがないように、割り溝内に弾性層を被着した構造となっている。
【０００３】
また、特許文献２には、釣糸挟着用の溝を形成した弾性体を錘本体に固着した釣り用錘が開示されている。この釣り用錘は、釣糸を弾性体の溝内に押し入れることで釣糸に固定される構造となっている。
【先行技術文献】
【特許文献】
【０００４】
【特許文献１】実開平４−４３９７４号
【特許文献２】特開２００２−３４４１０号
【発明の概要】
【発明が解決しようとする課題】
【０００５】
上記した特許文献１に開示された釣り用錘では、一旦釣糸に挟着してしまう（噛み潰して固定してしまう）と、取り外すことが難しいという問題がある。すなわち、強い挟持力が得られるように割り溝を潰してしまうことから、そのような割り溝を再び開放するのは容易ではない。
【０００６】
また、上記した特許文献２に開示されている釣り用錘では、挟持力が弱く、釣糸に対してずれ易いという問題がある。この場合、溝を可能な限り細く形成することで、ずれをある程度抑制することも可能であるが、釣糸の押し込み作業が難しく釣糸を損傷等させてしまう可能性がある。また、錘本体を釣糸から取り外すことも難しくなってしまう。
【０００７】
本発明は、上記した事情に着目してなされたものであり、釣糸に対する固定力が大きいと共に、釣糸を損傷させることなく容易に装着／取り外しが行える釣り用錘を提供することを目的とする。
【課題を解決するための手段】
【０００８】
上記した目的を達成するために、本発明に係る釣り用錘は、一部に割り溝が形成された錘本体と、前記割り溝に沿って釣糸を挟持する挟持溝が形成され、前記割り溝に対して弾性変形して圧入可能な挟持体と、を有することを特徴とする。
【０００９】
上記した構成の釣り用錘は、挟持体に形成された挟持溝に釣糸を押し込み、この状態で挟持体を錘本体に形成された割り溝内に圧入する。この圧入によって、挟持溝内に入り込んだ釣糸に対して挟着力が作用し、大きい固定力を得ることが可能となる。また、挟持体に形成された挟持溝に対して釣糸を押し込んだ後、これを錘本体に圧入することから、釣糸に対する釣り用錘の装着、及び取り外しが容易に行え、かつ釣糸を損傷することが防止される。
【発明の効果】
【００１０】
本発明によれば、釣糸に対する固定力が大きいと共に、釣糸を損傷させることなく容易に装着／取り外しが行える釣り用錘が得られる。
【図面の簡単な説明】
【００１１】
【図１】本発明に係る釣り用錘の一実施形態を示す図であり、（ａ）は分解図、（ｂ）は挟持体を錘本体に圧入した状態を示す図、（ｃ）は挟持体を錘本体から回動した状態を示す図。
【図２】図１に示す釣り用錘の使用時の状態を示す図。
【図３】図１に示す釣り用錘の正面図。
【図４】図３のＡ−Ａ線に沿った断面図。
【図５】図３のＢ−Ｂ線に沿った断面図。
【図６】釣り用錘の変形例を示す図であり、（ａ）は分解斜視図、（ｂ）は挟持体を錘本体に圧入した状態を示す図。
【図７】釣り用錘の第２の変形例を示す図であり、（ａ）は挟持体を錘本体から回動した状態を示す図、（ｂ）は挟持体の圧入方法を示す図。
【図８】釣り用錘の第３の変形例を示す図であり、（ａ）は側面図、（ｂ）は正面図。
【発明を実施するための形態】
【００１２】
以下、本発明に係る釣り用錘の実施形態について、添付図面を参照して説明する。
【００１３】
図１から図５は、本発明の一実施形態に係る釣り用錘を示す図であり、図１（ａ）は分解図、図１（ｂ）は挟持体を錘本体に圧入した状態を示す図、図１（ｃ）は挟持体を錘本体から回動した状態を示す図、図２は使用時の状態を示す図、図３は正面図、図４は図３のＡ−Ａ線に沿った断面図、そして、図５は図３のＢ−Ｂ線に沿った断面図である。なお、図５では、図３には示されていない釣糸について、その挟持状態を示している。
【００１４】
本実施形態の釣り用錘は、略楕円球状に形成され、一部に割り溝２ａが形成された錘本体２と、前記割り溝２ａに対して弾性変形して圧入可能な挟持体３とを備えている。
【００１５】
前記錘本体２は、水よりも比重の大きい材料、例えば、鉛、スズ、ＳＵＳ、タングステン等によって形成されており、その表面には、所定の深さで直線状に前記割り溝２ａが形成されている。この割り溝２ａは、錘本体２を形成する時に一体形成しても良いし、錘本体を形成した後に、切削加工等によって形成しても良い。なお、このように形成される割り溝２ａは、従来のように押圧して潰されるものではなく、以下に詳述する挟持体３が圧入される部分となる。
【００１６】
前記挟持体３は、錘本体と比較して軟質な材料、例えば、弾性変形可能な材料である合成ゴム、天然ゴム、エラストマー等によって形成されており、前記割り溝２ａに対して、弾性変形して圧入できる大きさに形成されている。この挟持体３には、その背面側（露出側となる）に、割り溝２ａに沿うようにして釣糸Ｓを挟持する挟持溝３ａが形成されており、挟持体３が割り溝２ａに対して弾性変形して圧入された際、挟持溝３ａに押し込められた釣糸Ｓに対して挟持力を作用させるようになっている。
【００１７】
前記挟持体３は、錘本体２に対して容易に一体化できるように、挟持溝３ａの一端側が錘本体２に対して回動可能に取り付けられている。具体的には、挟持体３の長手方向の一端側には、フック状に折り曲げられた固定部３ｂが一体形成されており、錘本体２には、割り溝２ａに連続するようにして、固定部３ｂを嵌め込んで固定する凹部２ｂが一体形成されている。
【００１８】
このため、挟持体３の固定部３ｂを錘本体２の凹部２ｂに固定すると、図１（ｂ），（ｃ）に示すように、挟持体３は錘本体２に対して回動可能となっており、割り溝２ａを開いた状態、或いは挟持体３を割り溝２ａに圧入した状態にすることが可能となる。
【００１９】
また、本実施形態では、前記挟持体３は、錘本体２に圧入された際、錘本体２の外面と面一状になるように形成されている。すなわち、挟持体３の圧入時には、釣り用錘全体として略楕円球状の状態となり、水中に沈んだ状態で水の抵抗等が作用しても、水圧等によって挟持体３が割り溝２ａから外れ難くなるようにしている。
【００２０】
さらに、本実施形態では、錘本体２と挟持体３には、挟持体３を圧入した際、挟持体３が錘本体２に対して移動できないような固定手段７が設けられている。すなわち、挟持体３が容易に移動できるように圧入されていると、使用時に挟持体３が割り溝２ａから離脱してしまい、これにより、釣糸から釣り用錘１が離脱する可能性があるが、以下のような固定手段を設けておくことで、挟持体３の移動を確実に防止することが可能となる。
【００２１】
固定手段７の構成については、特に限定されることはないが、例えば、図５に示すように、錘本体２（割り溝２ａ）の内面と挟持体３の外面に、それぞれ凹凸部２ｃ，３ｃを形成しておき、挟持体３を割り溝２ａに圧入した際に、両者が弾性変形しながら嵌合する構成にすることが可能である。すなわち、挟持体３を割り溝２ａに対して圧入すると、それぞれの凹凸部２ｃ，３ｃが嵌合し、両者をずれ難くすることが可能となる。
【００２２】
或いは、図１から図４に示されているように、挟持体３の長手方向の他端側（固定部３ｂの反対側）に湾曲部３ｄを形成しておくと共に、錘本体２の端部外周部に、割り溝２ａを延長するようにして嵌入部２ｄを形成しておき、挟持体３を圧入すべく回動した際、湾曲部３ｄが錘本体２の端部外周部に乗り上げて嵌入部２ｄと係合するようにしても良い。すなわち、挟持体３を割り溝２ａに対して圧入する際、他端側に形成されている湾曲部３ｄが覆い被さるようにして嵌入部２ｄに嵌入されることから、両者をずれ難くすることが可能となる。
【００２３】
次に、上記した釣り用錘１を使用する方法について具体的に説明する。  
釣り用錘１を釣糸Ｓに対して取り付ける際、挟持体３を回動して錘本体２から外しておき、図２に示すように、挟持体３の挟持溝３ａに釣糸Ｓを押し込み、この状態で挟持体３を錘本体２に形成された割り溝２ａ内に圧入する。この場合、挟持体３は、錘本体２と一体化されており、図２に示すように開くことで、釣糸Ｓを容易に挟持溝３ａ内に押し込むことができる。
【００２４】
そして、挟持体３を割り溝２ａ内に圧入することで、挟持溝３ａ内に入り込んだ釣糸Ｓに対して、図５の矢印で示すように、割り溝２ａの内面から挟着力が作用することから、大きい固定力を得ることが可能となる。
【００２５】
また、挟持体３に形成された挟持溝３ａに対して釣糸Ｓを押し込んだ後、これを錘本体２に対して圧入操作することから、釣糸に対する釣り用錘１の装着が容易に行えるようになる。また、挟持体３を指で摘んで回動操作するだけで、挟持体３を割り溝２ａから離脱することができるため、釣り用錘１の釣糸からの取り外し操作が容易に行えるようになるとともに、弾性体である挟持体３に対して釣糸を出し入れすることから、釣糸を損傷することも防止される。
【００２６】
さらに、上記したように、錘本体２と挟持体３には、挟持体３を圧入した際、挟持体３が錘本体２に対して移動できないような固定手段７が設けられているため、実釣時において、挟持体３が割り溝２ａから離脱することが確実に防止される。
【００２７】
本発明は、上記した実施形態に限定されることはなく、例えば、以下のように種々変形することが可能である。
【００２８】
上記した実施形態では、挟持体３の長手方向の一端側にフック状に折り曲げられた固定部３ｂを形成するとともに、錘本体２に、割り溝２ａに連続するように、固定部３ｂを嵌め込んで固定する凹部２ｂを一体形成し、挟持体３を錘本体２に対して容易に一体化できるようにしたが、例えば、図６（ａ），（ｂ）に示すように、錘本体２の一端側に貫通孔２ｅを形成するとともに、挟持体３の両サイドに貫通孔２ｅに嵌入する突起３ｅを形成したものであっても良い。或いは、図示しないが、挟持体３にも貫通孔を形成しておき、両者をピンによって回動可能に固定する構成であっても良い。このような構成によれば、挟持体３の回動操作を安定して行うことができ、釣糸に対する装着／取り外しを容易に行えるようになる。
【００２９】
もちろん、挟持体３については、錘本体２とは、別体に構成され、使用時に圧入される構成であっても良い。
【００３０】
また、上記した固定手段７についても適宜変形することが可能である。
【００３１】
例えば、図７（ａ），（ｂ）に示すように、挟持体３の長手方向の他端側（突起３ｅの反対側）に、円柱状の嵌合凸部３ｆを形成しておくとともに、錘本体２の上端領域（割り溝２ａの端部）に嵌合凹所２ｆを形成しておいても良い。
【００３２】
このような構成では、挟持体３を回動して圧入する際に、矢印で示すように、嵌合凸部３ｆを引上げながら嵌合凹所２ｆに対して嵌入させるようになっており、これにより、両者の固定状態をより確実にして、挟持体３のずれを確実に防止することが可能となる。
【００３３】
なお、このような構成では、嵌合凸部３ｆと嵌合凹所２ｆの側面をテーパ状にしておくことが好ましい。このようにすることで、嵌合凸部３ｆを嵌合凹所２ｆに押し込むと、釣糸Ｓに対する挟持力（固定力）を向上することも可能となる。
【００３４】
或いは、図８（ａ），（ｂ）に示すように、挟持体３の両サイドに、それぞれ突起３ｇを形成しておくとともに、錘本体２の外周縁部の対応する部分に、切欠き凹部２ｇを形成しておいても良い。このような構成では、挟持体３を回動して圧入した際に、そのまま突起３ｇが切欠き凹部２ｇに嵌り込むことから、両者の固定状態が確実になり、挟持体３のずれを確実に防止することが可能となる。
【００３５】
或いは、上記した構成例以外にも、挟持体３の形状を、圧入側に移行するにしたがって次第に厚肉化（テーパ状に形成する）しておき、かつ割り溝２ａの形状を、中心に移行するにしたがって、次第に幅広状（テーパ状）に形成することで、両者を圧入した際、楔状に嵌入することから、両者の固定状態を確実にすることも可能である。
【００３６】
さらに、上述した構成では、錘本体２の形状については、適宜変形することが可能であり、また、挟持体３については、錘本体２に形成された割り溝２ａに対して圧入した際、釣糸Ｓに対する挟着力を作用させるように構成されていれば良い。
【符号の説明】
【００３７】
１  釣り用錘
２  錘本体
２ａ  割り溝
３  挟持体
３ａ  挟持溝
７  固定手段
Ｓ  釣糸
【図１】
2011130667.tif 000003
【図２】
2011130667.tif 000004
【図３】
2011130667.tif 000005
【図４】
2011130667.tif 000006
【図５】
2011130667.tif 000007
【図６】
2011130667.tif 000008
【図７】
2011130667.tif 000009
【図８】
2011130667.tif 000010